(57)【特許請求の範囲】
【請求項１】
空調本体(２０１)と、
上記空調本体(２０１)と通信を行うリモコン(２,１０２)と
を備え、
上記空調本体(２０１)とリモコン(２,１０２)の少なくとも一方は、
ケーシング(１０)と、
故障診断用信号を生成する信号生成部(２２ａ,２１２ａ)と、
上記故障診断用信号を上記ケーシング(１０)外に無線で送信する送信部(２３,２１３)と、
受信部(１４,２４)と、
状態判定部(２２ｂ,２１２ｂ)と
を有し、
上記状態判定部(２２ｂ,２１２ｂ)は、上記送信部(２３,２１３)が、上記信号生成部(２２ａ,２１２ａ)によって生成された上記故障診断用信号を上記ケーシング(１０)外に無線で送信したとき、上記受信部(１４,２４)が上記故障診断用信号と一致する信号を受信すると、上記信号生成部(２２ａ,２１２ａ)、送信部(２３,２１３)および受信部(１４,２４)の状態を正常と判定する一方、上記受信部(１４,２４)が上記故障診断用信号と一致する信号を受信しないと、上記信号生成部(２２ａ,２１２ａ)、送信部(２３,２１３)および受信部(１４,２４)の状態を異常と判定することを特徴とする空気調和機。
【請求項２】
請求項１に記載の空気調和機において、
上記故障診断用信号は、上記空調本体(２０１)またはリモコン(２,１０２)の故障を診断するための専用信号であることを特徴とする空気調和機。
【請求項３】
請求項１または２に記載の空気調和機において、
上記送信部(２３,２１３)は、上記信号生成部(２２ａ,２１２ａ)によって生成された上記故障診断用信号を、予め設定された時間間隔で複数回送信する連続送信モードを有し、
上記空調本体(２０１)と上記リモコン(２,１０２)の少なくとも一方は、
上記送信部(２３,２１３)が連続送信モードになっているとき、上記受信部(１４,２４)が、上記信号生成部(２２ａ,２１２ａ)によって生成された上記故障診断用信号と一致する信号を受信すると、この信号の受信をユーザに報知する第１報知部(１５,２５)と、
上記送信部(２１３)が連続送信モードになっているとき、上記受信部(１４)が、上記信号生成部(２１２ａ)によって生成された上記故障診断用信号と一致しない信号を受信すると、この信号の受信をユーザに報知する第２報知部(１５,２５)と
を有することを特徴とする空気調和機。
【請求項４】
請求項１から３までのいずれか一項に記載の空気調和機において、
上記空調本体(２０１)と上記リモコン(１０２)の少なくとも一方は、少なくとも一部が送信部(２３,２１３)と受信部(１４,２４)の間に配置された着脱可能な遮蔽部(６１)を有することを特徴とする空気調和機。
【発明の詳細な説明】
【技術分野】
【０００１】
この発明は、空気調和機に関する。
【背景技術】
【０００２】
従来、空気調和機としては、室内機と、この室内機と通信を行うリモコンとを備えたものがある(例えば特開２０００−３２４５６５号公報(特許文献１)参照)。
【０００３】
上記室内機は、リモコンから自己診断開始信号を受信すると、自己診断を行った後、診断の結果を示す信号をリモコンに返信する。これにより、上記室内機の自己診断の結果がリモコンの表示部に表示されて、室内機の状態を確認できるようになっている。
【先行技術文献】
【特許文献】
【０００４】
【特許文献１】特開２０００−３２４５６５号公報
【発明の概要】
【発明が解決しようとする課題】
【０００５】
しかしながら、上記従来の空気調和機では、例えばリモコンが故障のために自己診断開始信号を適切に送信できない場合、室内機から診断の結果を示す信号が送信されなかったり、その信号が不正確になったりする。こうなると、上記室内機とリモコンのどちらが故障しているのかを判別するのは、困難になってしまうという問題がある。
【０００６】
そこで、この発明の課題は、故障が発生したとき、室内機とリモコンのどちら側に故障の原因があるのかを容易に判別できる空気調和機を提供することにある。
【課題を解決するための手段】
【０００７】
上記課題を解決するため、この発明の空気調和機は、
空調本体と、
上記空調本体と通信を行うリモコンと
を備え、
上記空調本体とリモコンの少なくとも一方は、
ケーシングと、
故障診断用信号を生成する信号生成部と、
上記故障診断用信号を上記ケーシング外に無線で送信する送信部と、
受信部と、
状態判定部と
を有し、
上記状態判定部は、上記送信部が、上記信号生成部によって生成された上記故障診断用信号を上記ケーシング外に無線で送信したとき、上記受信部が上記故障診断用信号と一致する信号を受信すると、上記信号生成部、送信部および受信部の状態を正常と判定する一方、上記受信部が上記故障診断用信号と一致する信号を受信しないと、上記信号生成部、送信部および受信部の状態を異常と判定することを特徴としている。
【０００８】
上記構成によれば、上記故障診断用信号を反射可能な例えば反射部に向けて、故障診断用信号を送信する。このとき、上記信号生成部、送信部および受信部の状態が、正常であれば、受信部は故障診断用信号と一致する信号を受信できる。一方、上記信号生成部、送信部および受信部の状態が、異常であれば、受信部は故障診断用信号と一致する信号を受信できない。
【０００９】
したがって、上記空調本体とリモコンの少なくとも一方が状態判定部を有するので、空調本体とリモコンの少なくとも一方の故障を検出できる。
【００１０】
すなわち、この発明の空気調和機は、故障したとき、空調本体とリモコンのどちら側に故障の原因があるのかを容易に判別できる。
【００１１】
一実施形態の空気調和機では、
上記故障診断用信号は、上記空調本体またはリモコンの故障を診断するための専用信号である。
【００１２】
上記実施形態によれば、仮に、上記空調本体とリモコンの一方から、空調本体とリモコンの他方へ、故障診断用信号が送信されたとしても、故障診断用信号は専用信号であるから、空調本体とリモコンの他方の他方が誤動作するのを防ぐことができる。
【００１３】
また、仮に、上記故障診断用信号が他の装置に送信されても、故障診断用信号は専用信号であるから、他の装置が誤動作するのを防ぐことができる。
【００１４】
一実施形態の空気調和機では、
上記送信部は、上記信号生成部によって生成された上記故障診断用信号を、予め設定された時間間隔で複数回送信する連続送信モードを有し、
上記空調本体と上記リモコンの少なくとも一方は、
上記送信部が連続送信モードになっているとき、上記受信部が、上記信号生成部によって生成された上記故障診断用信号と一致する信号を受信すると、この信号の受信をユーザに報知する第１報知部と、
上記送信部が連続送信モードになっているとき、上記受信部が、上記信号生成部によって生成された上記故障診断用信号と一致しない信号を受信すると、この信号の受信をユーザに報知する第２報知部と
を有する。
【００１５】
上記実施形態によれば、上記反射部が故障診断用信号を受信へ反射しても、例えば外乱光の影響により、受信部が故障診断用信号と一致する信号を受信部できない場合がある。この場合、上記送信部を連続送信モードにして、予め設定された時間間隔で、故障診断用信号を送信部に複数回送信させる。これにより、外乱光の影響を受ける状態での第１,第２報知部の報知と、外乱光の影響を受けない状態での第１,第２報知部の報知とを比較して、外乱光の影響を確認できる。
【００１６】
一実施形態の空気調和機では、
上記空調本体と上記リモコンの少なくとも一方は、少なくとも一部が送信部と受信部の間に配置された着脱可能な遮蔽部を有する。
【００１７】
上記実施形態によれば、上記故障診断用信号以外の信号を送信部に送信させたとき、故障診断用信号以外の信号が受信部で受信されるのを遮蔽部で防ぐことができる。
【００１８】
また、上記遮蔽部を取り外すと、上記反射部を使わなくても、送信部から受信部に故障診断用信号を送信できる。
【発明の効果】
【００１９】
以上から明かなように、この発明は、故障が発生したとき、空調本体とリモコンのどちら側に故障の原因があるのかを容易に判別できる空気調和機を提供できる。
【図面の簡単な説明】
【００２０】
【図１】この発明の第１実施形態の空気調和機の室内機およびリモコンの斜視図である。
【図２】上記空気調和機のリモコンのブロック図である。
【図３】上記リモコンの故障を診断するときの制御を説明するためのフローチャートである。
【図４】上記リモコンの一変形例のブロック図である。
【図５】この発明の第２実施形態の空気調和機の室内機のブロック図である。
【図６】上記室内機の故障を診断するときの制御を説明するためのフローチャートである。
【発明を実施するための形態】
【００２１】
以下、この発明の空気調和機を図示の実施の形態により詳細に説明する。
【００２２】
〔第１実施形態〕
図１は、この発明の第１実施形態の空気調和機の室内機１およびリモコン２の斜視図である。
【００２３】
上記空気調和機は、室内の壁面に取り付けられる室内機１と、この室内機１と無線通信を行うリモコン２とを備える。なお、室内機１は空調本体の一例である。
【００２４】
上記室内機１の前面には、ケーシング１０と、運転スイッチ１１と、受信部１４と、第１,第２報知部の一例としての運転ＬＥＤ(発光ダイオード)１５とが設けられている。この受信部１４は例えば赤外線受光素子を有し、室内機１とリモコン２の間で赤外線通信が行われる。また、受信部１４近傍には、運転スイッチ１１および運転ＬＥＤ１５が位置する。この運転スイッチ１１を押下すれば、リモコン２を操作しなくても、室内機１が運転したり、停止したりする。また、運転ＬＥＤ１５は、室内機１の運転中、点灯する。
【００２５】
上記リモコン２の上面には、複数の操作ボタンからなる操作ボタン群２１と、運転の種類や設定温度などを表示する表示部２５とが設けられている。ユーザは操作ボタン群２１を操作することにより、例えば冷房運転や暖房運転の温度や時間を設定できるようになっている。また、操作ボタン群２１の操作により、リモコン２の故障診断も行えるようになっている。
【００２６】
図２は、上記リモコン２の構成を説明するためのブロック図である。
【００２７】
上記リモコン２は、操作ボタン群２１と、制御装置２２と、例えば赤外線発光素子を有する送信部２３と、例えば赤外線受光素子を有する受信部２４と、表示部２５とを備えている。
【００２８】
上記制御装置２２は、マイクロコンピュータ、入出力回路などで構成されており、操作ボタン群２１からの信号などに基づいて、送信部２３,受信部２４,表示部２５などを制御する。
【００２９】
また、上記制御装置２２は、それぞれがソフトウェアからなる故障診断用信号生成部２２ａおよび故障診断部２２ｂを有している。なお、故障診断用信号生成部２２ａは信号生成部の一例である。また、故障診断部２２ｂは状態判定部の一例である。
上記故障診断用信号生成部２２ａは、操作ボタン群２１のうちの特定の操作ボタンが長押しされたとき、リモコン２の故障を診断するための故障診断用信号を生成する。このとき、上記故障診断用信号が室内機１に送信されても、室内機１が運転したり、停止したりすることはない。また、上記故障診断用信号が他の機器(例えばテレビ)に送信されても、他の機器は反応しない。すなわち、上記故障診断用信号は、リモコン２の故障を診断するための専用信号である。
【００３０】
上記故障診断部２２ｂは、送信部２３が上記故障診断用信号を送信したとき、受信部２４が上記故障診断用信号と一致する信号を受信すると、故障診断用信号生成部２２ａ、送信部２３および受信部２４の状態を正常と判定する。一方、故障診断部２２ｂは、送信部２３が上記故障診断用信号を送信したとき、受信部２４が上記故障診断用信号と一致する信号を受信しないと、故障診断用信号生成部２２ａ、送信部２３および受信部２４の状態を異常と判定する。
【００３１】
上記表示部２５は、例えばモノクロ液晶表示部からなり、故障診断部２２ｂによる判定の結果(正常または異常)を数字や文字で表示する。
【００３２】
上記構成の空気調和機において、リモコン２の故障を診断する場合、上記故障診断用信号を反射可能な反射板(例えば鏡)５１に送信部２３を向けつつ、操作ボタン群２１のうちの特定の操作ボタンを長押する。このとき、故障診断用信号生成部２２ａ、送信部２３および受信部２４の状態が、正常であれば、上記故障診断用信号が反射板５１で反射されて、受信部２４は上記故障診断用信号と一致する信号を受信できる。一方、故障診断用信号生成部２２ａ、送信部２３および受信部２４の状態が、異常であれば、受信部２４は上記故障診断用信号と一致する信号を受信できない。
【００３３】
したがって、上記空気調和機が故障したとき、故障診断部２２ｂの判定に基づいて、その故障の原因がリモコン２にあるのか否かを確認できる。
また、上記故障の原因がリモコン２にないと確認できた場合、その故障の原因が室内機１にあると推定できる。
【００３４】
また、上記故障診断用信号はリモコン２の故障診断のための専用信号であるので、室内機１や他の機器が意図しない動きをするのを防ぐことができる。
【００３５】
以下、図３のフローチャートを用いて、リモコン２の故障を診断するときの制御について説明する。
【００３６】
上記制御が開始されると、まず、ステップＳ１で、操作ボタン群２１のうちの特定の操作ボタンが長押しされたか否かを判定する。このステップＳ１は、このステップＳ１は、操作ボタン群２１のうちの特定の操作ボタンが長押しされたと判定されるまで、繰り返される。すなわち、ステップＳ１で、操作ボタン群２１のうちの特定の操作ボタンが長押しされたと判定されなければ、次のステップＳ２に進めない。
【００３７】
次に、ステップＳ２で、リモコン２の故障を診断するための故障診断用信号を送信部２３に送信させる。
【００３８】
次に、ステップＳ３で、受信部２４が上記故障診断用信号と一致する信号を受信したか否かを判定する。このステップＳ３で、受信部２４が上記故障診断用信号と一致する信号を受信したと判定されると、ステップＳ４を経て、上記制御が終了する。一方、ステップＳ３で、受信部２４が上記故障診断用信号と一致する信号を受信していないと判定されると、ステップＳ５を経て、上記制御が終了する。
【００３９】
上記ステップＳ４では、例えば、リモコン４の表示部２５に「送受信ＯＫ」の文字を表示させる。
【００４０】
上記ステップＳ５では、例えば、リモコン４の表示部２５に「送受信ＮＧ」の文字を表示させる。
【００４１】
このように、上記受信部２４が上記故障診断用信号と一致する信号を受信したか否かは、リモコン４の表示で容易に確認できる。
【００４２】
上記第１実施形態では、上記故障診断用信号は赤外線からなっていたが、例えば、赤外線以外の光からなるようにしてもよい。
【００４３】
上記第１実施形態では、上記故障診断用信号を反射板５１で反射させていたが、手で反射させてもよい。すなわち、故障診断用信号を反射可能なものであれば、反射板５１の換わりに用いてもよい。
【００４４】
上記第１実施形態では、送信部２３から反射板５１に向けて故障診断用信号を送信していたが、送信部２３から室内機１の受信部１４に向けて故障診断用信号を送信してもよい。このようにする場合、室内機１の受信部１４が故障診断用信号を受信したとき、室内機１の送信部(図示せず)から故障診断用信号が送信されるようにしてもよい。そして、リモコン２の受信部２４が上記故障診断用信号と一致する信号を受信すると、室内機１およびリモコン２の信号の生成および送受信に関する箇所の状態は、正常と判定してもよい。一方、リモコン２の受信部２４が上記故障診断用信号と一致する信号を受信しないと、室内機１およびリモコン２の信号の生成および送受信に関する箇所の少なくとも一部の状態は、異常と判定してもよい。
【００４５】
上記第１実施形態では、受信部２４が上記故障診断用信号と一致する信号を受信すると、リモコン４の表示部２５に「送受信ＯＫ」の文字が表示されていたが、例えば「送受信ＯＫ」の音声がリモコン２のスピーカから出力されるようにしてもよい。
【００４６】
上記第１実施形態では、受信部２４が上記故障診断用信号と一致しない信号を受信すると、リモコン４の表示部２５に「送受信ＮＧ」の文字が表示されていたが、例えば「送受信ＮＧ」の音声がリモコン２のスピーカから出力されるようにしてもよい。
【００４７】
上記第１実施形態において、リモコン２が、送信部２３と受信部２４の間に配置された着脱可能な遮蔽部を備えてもよい。
【００４８】
すなわち、上記第１実施形態の一変形例は、図４に示すようなリモコン１０２であってもよい。このリモコン１０２では、送信部２３と受信部２４の間に、遮蔽部の一例としての遮蔽板６１があるので、故障診断用信号以外の信号が受信部２４で受信されるのを遮蔽板６１で防ぐことができる。
【００４９】
また、上記リモコン１０２から遮蔽板６１を取り外すと、遮蔽板６１を使わなくても、送信部２３から受信部２４に故障診断用信号を送信できる。
【００５０】
〔第２実施形態〕
図５は、この発明の第２実施形態の空気調和機が備える室内機２０１の構成を説明するためのブロック図である。なお、図４では、図１,図４の構成部と同一構成部に、図１,図４の構成部の参照番号と同一参照番号を付している。
【００５１】
上記室内機２０１は、運転スイッチ１１と、制御装置２１２と、例えば赤外線発光素子を有する送信部２１３と、受信部１４と、運転ＬＥＤ１５とを備えている。
【００５２】
上記制御装置２１２は、マイクロコンピュータ、入出力回路などで構成されており、運転スイッチ１１からの信号などに基づいて、送信部２１３,受信部１４,運転ＬＥＤ１５などを制御する。
【００５３】
また、上記制御装置２１２は、それぞれがソフトウェアからなる故障診断用信号生成部２１２ａおよび故障診断部２１２ｂを有している。なお、故障診断用信号生成部２１２ａは信号生成部の一例である。また、故障診断部２１２ｂは状態判定部の一例である。
【００５４】
上記故障診断用信号生成部２１２ａは、運転スイッチ１１が予め設定された複数回連打されたとき、室内機２０１の故障を診断するための故障診断用信号を生成する。この故障診断用信号が室内機２０１に送信されても、室内機２０１が運転したり、停止したりすることはない。また、上記故障診断用信号が他の機器(例えばテレビ)に送信されても、他の機器は反応しない。すなわち、上記故障診断用信号は、室内機２０１の故障を診断するための専用信号である。
【００５５】
上記故障診断部２１２ｂは、送信部２１３が上記故障診断用信号を送信したとき、受信部１４が上記故障診断用信号と一致する信号を受信すると、故障診断用信号生成部２１２ａ、送信部２１３および受信部１４の状態を正常と判定する。一方、故障診断部２１２ｂは、送信部２１３が上記故障診断用信号を送信したとき、受信部１４が上記故障診断用信号と一致する信号を受信しないと、故障診断用信号生成部２１２ａ、送信部２１３および受信部１４の状態を異常と判定する。
【００５６】
上記送信部２１３は受信部１４近傍に設けられている。この送信部２１３は、故障診断用信号生成部２１２ａによって生成された故障診断用信号を、予め設定された時間間隔で複数回送信する連続送信モードを有する。
【００５７】
上記運転ＬＥＤ１５は、送信部２１３が連続送信モードになっているとき、受信部１４が受信した信号に応じて、発光色が変化するようになっている。より詳しくは、受信部１４が上記故障診断用信号と一致する信号を受信したとき、運転ＬＥＤ１５が緑色に点灯する。一方、受信部１４が上記故障診断用信号と一致しない信号を受信したとき、運転ＬＥＤ１５が赤色に点灯する。
【００５８】
上記構成の空気調和機において、室内機２０１の故障を診断する場合、上記故障診断用信号を反射可能な例えば反射板５１を送信部２１３に対向させた状態で、運転スイッチ１１を複数回連打する。このとき、故障診断用信号生成部２１２ａ、送信部２１３および受信部１４の状態が、正常であれば、上記故障診断用信号が反射板５１で反射されて、受信部１４は上記故障診断用信号と一致する信号を受信できる。一方、故障診断用信号生成部２１２ａ、送信部２１３および受信部１４の状態が、異常であれば、受信部１４は上記故障診断用信号と一致する信号を受信できない。
【００５９】
したがって、上記空気調和機が故障したとき、故障診断部２１２ｂの判定に基づいて、その故障の原因が室内機２０１にあるのか否かを確認できる。
【００６０】
また、上記故障の原因が室内機２０１にないと確認できた場合、その故障の原因がリモコン２にあると推定できる。
【００６１】
また、上記故障診断用信号は室内機２０１の故障診断の専用信号であるので、リモコン２や他の機器が意図しない動きをするのを防ぐことができる。
【００６２】
ところで、上記反射板５１が送信部２１３から離れた位置にあると、送信部２１３が上記故障診断用信号を正確に送信しても、上記故障診断用信号が例えば外乱光の影響を受けることがある。この場合、受信部１４は上記故障診断用信号と一致する信号を受信できず、運転ＬＥＤ１５が赤色に点灯する。
【００６３】
そこで、上記運転ＬＥＤ１５が赤色に点灯した場合、上記故障診断用信号が外乱光の影響を受けないように、送信部２１３および受信部１４を手で覆う。これにより、運転ＬＥＤ１５が緑色に点灯すれば、前の運転ＬＥＤ１５の赤色の点灯は外乱光が原因で起きたものだったと判定できる。一方、運転ＬＥＤ１５が再び赤色に点灯すれば、前の運転ＬＥＤ１５の赤色の点灯は外乱光が原因で起きたものではなかったと判定できる。すなわち、故障診断用信号生成部２１２ａ、送信部２１３および受信部１４の状態が、異常であると判定できる。
【００６４】
したがって、上記室内機２０１が外乱光の影響でリモコン２と正常に無線通信できないことを確認することができる。
【００６５】
以下、図６のフローチャートを用いて、室内機２０１の故障を診断するときの制御について説明する。なお、上記制御は室内機２０１へ電源の投入に応じて開始される。ここで、室内機２０１へ電源の投入とは、室内機２０１の電源プラグ(図示せず)をコンセントに挿すことを意味する。
【００６６】
上記制御が開始されると、まず、ステップＳ１１で、室内機２０１の電源の投入から、予め設定された時間(例えば１５分)が経過したか否かを判定する。このステップＳ１１で、室内機２０１の電源の投入から、予め設定された時間経過した時間が経過していないと判定されると、次のステップＳ１２に進む。一方、ステップＳ１１で、室内機２０１の電源の投入から、予め設定された時間経過した時間が経過したと判定されると、上記制御を終了する。このとき、送信部２１３が連続送信モードになっていれば、連続送信モードは解除される。
【００６７】
次に、ステップＳ１２で、運転スイッチ１１が複数回(例えば５回)連打されたか否かを判定する。このステップＳ１２は、運転スイッチ１１が複数回連打されたと判定されると、次のステップＳ１３に進む。一方、ステップＳ１２は、運転スイッチ１１が複数回連打されていないと判定されると、ステップＳ１１に戻る。
【００６８】
次に、ステップＳ１３で、故障診断用信号生成部２１２ａによって生成された故障診断用信号の送信を間隔(例えば１．５秒間隔)で繰り返す。すなわち、送信部２１３を連続送信モードにする。
【００６９】
次に、ステップＳ１４で、受信部１４が上記故障診断用信号と一致する信号を受信したか否かを判定する。このステップＳ１４で、受信部１４が上記故障診断用信号と一致する信号を受信したと判定されると、ステップＳ１５で、運転ＬＥＤ１５を緑色で点灯させた後、ステップＳ１２に戻る。一方、ステップＳ１４で、受信部１４が上記故障診断用信号と一致しない信号を受信したと判定されると、ステップＳ１６で、運転ＬＥＤ１５を赤色で点灯させた後、ステップＳ１２に戻る。
【００７０】
このように、上記室内機２０１の故障の診断は、室内機２０１の電源の投入から、予め設定された時間しか行えないようになっているので、送信部２１３が不用意に連続送信モードにされてしまうのを防ぐことができる。
【００７１】
上記第２実施形態では、受信部１４が受信した信号は、運転ＬＥＤ１５の発光色に基づいて確認できるようになっていたが、運転ＬＥＤ１５の点滅パターンに基づいて確認できるようにしてもよい。
【００７２】
上記第２実施形態では、室外機１は、運転ＬＥＤ１５とは別に、受信部１４が受信した信号を確認するための１つまたは２つＬＥＤを有してもよい。
【００７３】
上記第２実施形態では、受信部１４が受信した信号は、視覚的に確認できるようにしていたが、聴覚的に確認できるようにしてもよい。具体的には、受信部１４が受信した信号を報知するための音声がスピーカから出力されるようにしてもよい。
【００７４】
この発明の具体的な実施形態について説明したが、この発明は上記第１,第２実施形態に限定されるものではなく、この発明の範囲内で種々変更して実施することができる。例えば、上記第１実施形態の一変形例を上記第２実施形態に適用してもよい。すなわち、第２実施形態の室内機２０１が遮蔽板６１を備えるようにしてもよい。
【００７５】
また、上記第１実施形態の送信部２３が、第２実施形態の連続送信モードを有するようにしてもよい。より詳しくは、第１実施形態のリモコン２の送信部２３が、故障診断用信号生成部２２ａによって生成された故障診断用信号を、予め設定された時間間隔で複数回送信する連続送信モードを有するようにしてもよい。このようにする場合、リモコン２の受信部２４が上記故障診断用信号と一致する信号を受信したか否かに基づいて、リモコン２の表示部２５が制御されるようにしてもよい。すなわち、リモコン２の表示部２５を第１,第２報知部の一例として用いてもよい。
【００７６】
また、この発明は、空調本体の一例としての空気清浄機本体と、この空気清浄機本体と通信を行うリモコンとを備える空気清浄機に適用してもよい。
【符号の説明】
【００７７】
１,２０１  室内機
２,１０２  リモコン
１０  ケーシング
１１  運転スイッチ
１４,２４  受信部
１５  運転ＬＥＤ
２２,２１２  制御装置
２２ａ,２１２ａ  故障診断用信号生成部
２２ｂ,２１２ｂ  故障診断部
２５  表示部
６１  遮蔽板
【図１】
0006274179.tif 000002
【図２】
0006274179.tif 000003
【図３】
0006274179.tif 000004
【図４】
0006274179.tif 000005
【図５】
0006274179.tif 000006
【図６】
0006274179.tif 000007